(57)【要約】      （修正有）【課題】飾り鋲の表座部の厚みを抑えることにより飾り鋲の破損を防止しながら、装飾性及び機能性を付加することができる飾り鋲を提供する。【解決手段】本考案に係る飾り鋲１００は、装飾を施された雄型の表座部１と、表座部１を固定する裏座部５０とを備える飾り鋲１００であって、表座部１は裏座部５０と固定するための軸部２と、軸部２を固定するための本体部３と、軸部２と本体部３とにより挟持される装飾部４とを備え、本体部３は装飾部４の少なくとも一部を保持するための溝５が形成され、装飾部４は本体部３に回動可能に保持されている。【選択図】図４
0003203296.tif 000002
【実用新案登録請求の範囲】
【請求項１】
装飾を施された雄型の表座部と、前記表座部を固定する裏座部とを備える飾り鋲であって、
前記表座部は前記裏座部と固定するための軸部と、前記軸部を固定するための本体部と、前記軸部と前記本体部とにより挟持される装飾部とを備えることを特徴とする飾り鋲。
【請求項２】
前記本体部は前記装飾部の少なくとも一部を保持するための溝が形成されていることを特徴とする請求項１に記載の飾り鋲。
【請求項３】
前記装飾部は前記本体部に回動可能に保持されていることを特徴とする請求項１又は２に記載の飾り鋲。
【請求項４】
前記軸部は中空に形成されていることを特徴とする請求項１〜３の何れか一項に記載の飾り鋲。
【請求項５】
前記裏座部は前記表座部の前記軸部を挿通するための透孔を備えることを特徴とする請求項１〜４の何れか一項に記載の飾り鋲。
【考案の詳細な説明】
【技術分野】
【０００１】
本考案は、飾り鋲に関するものである。
【背景技術】
【０００２】
ベルト、カバンなどの皮革類、上着、ズボン、スカートなどの衣類などの生地に取り付けられる飾り鋲は、一般的に図７に示すような雄型の表座部ａと、表座部ａを皮革類や衣類などに固定する雌型の裏座部ｂとにより構成されている。雄型の表座部ａは本体部ｃと軸部ｄとにより構成されている。この表座部ａの軸部ｄを皮革類や衣類などの生地ｅに設けた孔ｆに通し、生地ｅに通された軸部ｄを雌型の裏座部ｂの凹部ｇに挿通して、軸部ｄの頭部ｈを裏座部ｂの凹部ｇに圧接する。このようにして、図７ｂに示すように飾り鋲がカバンや衣服の生地ｅなどに固定される。これら雄型の表座部ａ又は雌型の裏座部ｂの少なくとも何れかに装飾が施されたり、機能が付加されたりして、飾り鋲の装飾性や機能性を高めている。
【０００３】
例えば、特許文献１には、軸部及び頭部からなる雄型と、この雄型の軸部を嵌合する筒軸部及び頭部からなる雌型とを備える飾り鋲が開示されている。特許文献２には、表座板に光シートを重ねランドセルに固定化する止め鋲が開示されている。
【先行技術文献】
【特許文献】
【０００４】
【特許文献１】特開平９−３１３２３３号公報
【特許文献２】実用新案登録第３０３３８０８号公報
【考案の概要】
【考案が解決しようとする課題】
【０００５】
特許文献１に記載の飾り鋲は雄型と雌型のみで構成されているため、ランドセルなどの表面に取り付けられる雄型の厚みを抑えながらランドセルなどの表面を装飾することができるため飾り鋲が壊れたり剥がれたりすることを防止することができる。しかしながら、軸部と頭部とが一体的に構成されているため、飾り鋲の頭部に十分な装飾や機能を付加することができないという問題があった。また、特許文献２に記載の止め鋲は表座板に光シートを重ねランドセルに固定化したものであるため、止め鋲に光を反射させる機能を付加することができるが、ランドセルの表面の厚みが増加するため、物などが当たって止め鋲が壊れたり光シートが剥がれたりする場合があった。
【０００６】
本考案は、上記問題点に鑑みてなされたものであり、飾り鋲の表座部の厚みを抑えることにより飾り鋲の破損を防止しながら、装飾性及び機能性を容易に付加することができる飾り鋲を提供することを目的とする。
【課題を解決するための手段】
【０００７】
即ち、本考案は以下の考案を含む。
[考案１]
装飾を施された雄型の表座部と、前記表座部を固定する裏座部とを備える飾り鋲であって、
前記表座部は前記裏座部と固定するための軸部と、前記軸部を固定するための本体部と、前記軸部と前記本体部とにより挟持される装飾部とを備えることを特徴とする飾り鋲。
[考案２]
前記本体部は前記装飾部の少なくとも一部を保持するための溝が形成されていることを特徴とする考案１に記載の飾り鋲。
[考案３]
前記装飾部は前記本体部に回動可能に保持されていることを特徴とする考案１又は２に記載の飾り鋲。
[考案４]
前記軸部は中空に形成されていることを特徴とする考案１〜３の何れか一つの考案に記載の飾り鋲。
[考案５]
前記裏座部は前記表座部の前記軸部を挿通するための透孔を備えることを特徴とする考案１〜４の何れか一つの考案に記載の飾り鋲。
【考案の効果】
【０００８】
本考案の飾り鋲は、装飾を施された雄型の表座部と、表座部を固定する裏座部とを備える飾り鋲であって、表座部は裏座部と固定するための軸部と、軸部を固定するための本体部と、軸部と本体部とにより挟持される装飾部とを備えている。これにより表座部の厚みを抑えることができるため飾り鋲の破損を防止することができる。さらに、装飾部を備えるため飾り鋲に装飾性及び機能性を容易に付加することができる。
【図面の簡単な説明】
【０００９】
【図１】図１は本考案が適用された第一実施形態の飾り鋲の表座部の正面側斜視図である。
【図２】図２は本考案が適用された第一実施形態の飾り鋲の表座部の裏面側斜視図である。
【図３】図３は本考案が適用された第一実施形態の飾り鋲の表座部の構成状態を示した分解図であり、図３ａは本考案が適用された第一実施形態の飾り鋲の表座部の構成状態を示した分解斜視図であり、図３ｂは図３ａの表座部を点線Ｘの位置で切断した側面断面図である。
【図４】図４は本考案が適用された第一実施形態の飾り鋲の装着状態を示す拡大断面図である。
【図５】図５は本考案が適用された第二実施形態の飾り鋲の表座部の正面図である。
【図６】図６は本考案が適用された第二実施形態の飾り鋲の表座部の裏面図である。
【図７】図７は従来の飾り鋲の装着方法を示す拡大断面図であり、図７ａは従来の飾り鋲の生地への装着直前の状態を示す拡大断面図であり、図７ｂは従来の飾り鋲の生地への装着状態を示す拡大断面図である。
【考案を実施するための形態】
【００１０】
以下、本考案に係る飾り鋲に関する実施形態を図１〜図６に基づいて説明する。ただし、本考案は、以下に説明する実施形態や図面に記載される構成に限定されることを意図しない。
【００１１】
＜第一実施形態＞
図１は本考案が適用された第一実施形態の飾り鋲１００の表座部１の正面側斜視図である。図２は本考案が適用された第一実施形態の飾り鋲１００の表座部１の裏面側斜視図である。図３は本考案が適用された第一実施形態の飾り鋲１００の表座部１の構成状態を示した分解図であり、図３ａは本考案が適用された第一実施形態の飾り鋲１００の表座部１の構成状態を示した分解斜視図であり、図３ｂは図３ａの表座部１を点線Ｘの位置で切断した側面断面図である。図４は本考案が適用された第一実施形態の飾り鋲１００の装着状態を示す拡大断面図である。飾り鋲１００は、装飾を施された雄型の表座部１と、表座部１を固定する裏座部５０とを備えている。以下本考案の重要な構成である表座部１について、詳細を説明する。
【００１２】
表座部１は、図１に示すように裏座部５０と固定するための軸部２と、軸部２を固定するための本体部３と、表座部１の装飾性を高めたり、表座部１に機能を付加するための装飾部４とを備えている。装飾部４は、図２に示すように本体部３と軸部２とにより挟持されて、表座部１に保持される。
【００１３】
具体的には、飾り鋲１００の表座部１の場合、図２に示すように卵形の本体部３の裏面の横方向に貫通する溝５が設けられ、当該溝５にロの字型の装飾部４を保持させる。本実施形態では溝５は本体部３を貫通しているが、本体部３を貫通するものである必要はなく、本体部３に保持できる構造であればよい。例えば、Ｔ字型の溝であっても装飾部４を保持することは可能である。軸部２には、図３に示すように本体部３に固定するための固定部６が設けられ、本体部３には、軸部２の固定部６を載置するための載置部７が設けられている。軸部２の固定部６及び本体部３の載置部７のサイズは、ほぼ同じサイズになるように設定されている。載置部７は装飾部４が溝５から外れないように溝５の上方を塞ぐように配置されている。載置部７の周囲には軸部２の固定部６を固定するための厚肉部８が設けられている。装飾部４はコの字型の吊下げ部９と、装飾部４を本体部３に保持させるための回動部１０とから構成されている。当該回動部１０を本体部３の溝５に嵌め込み、次いで軸部２の固定部６を載置部７に固定することにより装飾部４を回動可能に表座部１に保持させている。
【００１４】
軸部２の本体部３への固定方法としては、例えば本体部３の溝５に装飾部４の回動部１０を保持させた後、軸部２の固定部６を本体部３の載置部７に嵌め込み、次いで厚肉部８を圧潰することにより軸部２を本体部３に固定することが挙げられるが、熱圧着や接着剤などで固定部６を載置部７に固定することも可能である。ここで、図３に示す厚肉部８は圧潰前の厚肉部８を表し、図２及び図４に示す厚肉部８は圧潰後の厚肉部８を表している。
【００１５】
飾り鋲１００は、図１に示すように卵形の本体部３とロの字型の装飾部４とを組み合わせることにより、飾り鋲としての装飾性を高めている。さらに飾り鋲１００はコの字型の吊下げ部９を有しているため、飾り鋲１００をランドセルやカバンなどに用いると、防犯ブザー、給食袋、上履袋、定期入れなどの小物を吊り下げる機能をランドセルやカバンなどに付与することができる。また、装飾部４の形態をロの字型から他の形態に変えることにより、飾り鋲に様々な機能を付加することができる。本実施形態の飾り鋲１００は、表座部１にのみ装飾性や機能性を付加しているが、裏座部５０に装飾性や機能を付加してもよい。
【００１６】
飾り鋲１００の生地１１への装着方法としては、先ず、ベルト、カバンなどの皮革類、上着、ズボン、スカートなどの衣類などの生地１１に、飾り鋲１００を装着するための取付孔１２を設ける。生地１１の取付孔１２のサイズは表座部１の軸部２の軸径とほぼ同じサイズに設定する。次に図４に示すように、当該取付孔１２に表座部１の軸部２を通し、生地１１に通された軸部２を雌型の裏座部５０の透孔５１に挿通して、軸部２の頭部２ａを裏座部５０の透孔５１に固定する。軸部２と裏座部５１との固定方法としては、裏座部５０の透孔５１に挿通した軸部２の頭部２ａを圧潰して裏座部５０に圧着してもよいし、接着剤などを用いて固着してもよいし、係止め構造などを用いて固定してもよい。軸部２の内部は中空に形成されていることが好ましい。当該構造により、軸部２の頭部２ａを裏座部５０に容易に圧着することができる。裏座部５０は、少なくとも表座部１を皮革類や衣類などの生地に固定できるものであればよく、本実施形態に用いられている裏座部５０に限定されるものではない。
【００１７】
＜第二実施形態＞
図５は本考案が適用された第二実施形態の飾り鋲の表座部２０の正面図である。図６は本考案が適用された第二実施形態の飾り鋲の表座部２０の裏面図である。飾り鋲は、装飾を施された雄型の表座部２０と、表座部２０を固定する裏座部（図示せず）とを備えている。本実施形態の飾り鋲は、第一実施形態で示した裏座部５０と同じものを利用することができるが、少なくとも表座部２０を皮革類や衣類などの生地に固定できるものであれば何れを使用してもよい。以下本考案の重要な構成である表座部２０について、詳細を説明する。
【００１８】
第二実施形態の表座部２０は、図５及び図６に示すように裏座部と固定するための軸部２１と、軸部２１を固定するための本体部２２と、表座部２０の装飾性を高めたり、表座部２０に機能を付加するための装飾部２３とを備えている。装飾部２３は、図６に示すように本体部２２と軸部２１により挟持されて、表座部２０に保持される。
【００１９】
具体的には、第二実施形態の飾り鋲の表座部２０の場合、図６に示すようにハート型の本体部２２の裏面の真中縦方向に貫通する溝２４が設けられ、当該溝２４に装飾部２３が保持される。本実施形態では溝２４は本体部２２を貫通しているが、本体部２２を貫通するものである必要はなく、本体部２２に保持できる構造であればよい。例えば、Ｔ字型の溝であっても装飾部２３を保持することは可能である。軸部２１には、本体部２２に固定するための固定部２５が設けられ、本体部２２には、軸部２１の固定部２５を載置するための載置部２６が設けられている。軸部２１の固定部２５及び本体部２２の載置部２６のサイズは、ほぼ同じサイズになるように設定されている。載置部２６は装飾部２３が溝２４から外れないように溝２４の上方を塞ぐように配置されている。載置部２６の周囲には軸部２１の固定部２５を固定するための厚肉部２７が設けられている。装飾部２３はハート型の装飾が施された外縁部２８と、装飾部２３を本体部２２に保持させるための中軸部２９とから構成されている。当該中軸部２９を本体部２２の溝２４に嵌め込み、次いで軸部２１の固定部２５を載置部２６に固定することにより装飾部２３を表座部２０に保持させている。
【００２０】
軸部２１の本体部２２への固定方法としては、例えば本体部２２の溝２４に装飾部２３の中軸部２９を保持させた後、軸部２１の固定部２５を本体部２２の載置部２６に嵌め込み、次いで厚肉部２７を圧潰することにより軸部２１を本体部２２に固定することが挙げられるが、熱圧着や接着剤などで固定部２５を載置部２６に固定することも可能である。これにより、装飾部２３は本体部２２の溝２４に保持されるため、表座部２０の厚みを抑制することができ、物などが当たったり、擦れたりしても飾り鋲の破損を防止することができる。さらに表座部２０に装飾部２３を取り付けることができるため、第二実施形態の飾り鋲に装飾性及び機能性を容易に付加することができる。第二実施形態の飾り鋲の生地への装着方法としては、第一実施形態の飾り鋲と同じ方法で装着することができる。
【産業上の利用可能性】
【００２１】
本考案に係る飾り鋲は、ベルト、カバンなどの皮革類、上着、ズボン、スカートなどの衣類などの生地に利用することができる。
【符号の説明】
【００２２】
１，２０        表座部
２，２１        軸部
３，２２        本体部
４，２３        装飾部
５，２４        溝
５０            裏座部
５１            透孔
１００          飾り鋲
【図１】
0003203296.tif 000003
【図２】
0003203296.tif 000004
【図３】
0003203296.tif 000005
【図４】
0003203296.tif 000006
【図５】
0003203296.tif 000007
【図６】
0003203296.tif 000008
【図７】
0003203296.tif 000009